(57)【特許請求の範囲】
【請求項１】
圧縮機及び室外側熱交換器等を収納した室外機と、室内側熱交換器及び送風装置を収納した室内機とを冷媒配管により接続し、この室内機の室内側熱交換器によって被調和室を空調する空気調和機の固定装置において、
屋内の所定の場所に固定されると共に前記室内機が載置される矩形状の載置台と、この載置台と前記室内機とを固定するための取付具とを備え、
前記載置台は、それの周縁全周に亘って上方へ突出して設けられた立設部と、この立設部よりも内側の後方部に設けられ、前記室内機の背面部を当接させるストッパーと、４隅部にそれぞれ設けられ、ネジを含む固定具を挿入するための固定孔とを備え、前記４隅部の固定孔は、前記立設部の外側に位置してそれぞれ設ける構成とし、
前記取付具は、室内機の前面部と載置台の前方側の立設部との間に介在させると共に、それの両端部を室内機と載置台の立設部とにそれぞれネジ止めして室内機と載置台とを固定することを特徴とする空気調和機の固定装置。
【発明の詳細な説明】
【０００１】
【発明の属する技術分野】
本発明は、１台の室内機で家屋内における複数の部屋の空調が行える空気調和機に関し、特に、その室内機の固定装置に関する。
【０００２】
【従来の技術】
近年、建築技術の向上により、非常に高気密で高断熱な家屋が建てられるようになった。それに伴い家屋の天井裏等に室内機を配置し、１台の室内機で家屋内全体を空調する空気調和機が提案されている。このような空気調和機として、例えば本願出願人が出願した特願平８−３１６５９４がある。
【０００３】
この空気調和機は、家屋の天井裏と階段下にそれぞれ室内機を配置し、家屋外に配置された室外機と冷媒配管で接続している。各部屋には室内機とダクトを介して接続される吹出口が設けられ、廊下などには室内機とつながる吸込口が設けられている。また各部屋には廊下等に室内空気が流れるように通気口が設けられている。そして室内機で調温された空気は各部屋の吹出口から各部屋に供給され、その室内空気は通気口から廊下等に循環して、再び室内機内へ吸込口を介して戻る。
【０００４】
【発明が解決しようとする課題】
しかしながらこのような空気調和機は、室内機を天井裏や階段下等の目視し難いところに配置されるため、例えば、室内機の一部が破損してドレン水等が漏れたりしても利用者は気が付かない。この状態のまま運転を継続すると、このドレン水等が天井等に流れ出して家屋を損傷させたり、天井から被調和室内にこのドレン水が漏れたりする等の不具合が起こる。
【０００５】
そこで本発明は、室内機を被調和室以外の場所に配置した場合でも、ドレン水等により家屋が損傷しない空気調和機の固定装置を提供できるようにすることを目的とする。
【０００６】
【課題を解決するための手段】
上記課題を解決するために、請求項１にかかる発明は、圧縮機及び室外側熱交換器等を収納した室外機と、室内側熱交換器及び送風装置を収納した室内機とを冷媒配管により接続し、この室内機の室内側熱交換器によって被調和室を空調する空気調和機の固定装置において、屋内の所定の場所に固定されると共に前記室内機が載置される矩形状の載置台と、この載置台と前記室内機とを固定するための取付具とを備え、前記載置台は、それの周縁全周に亘って上方へ突出して設けられた立設部と、この立設部よりも内側の後方部に設けられ、前記室内機の背面部を当接させるストッパーと、４隅部にそれぞれ設けられ、ネジを含む固定具を挿入するための固定孔とを備え、前記４隅部の固定孔は、前記立設部の外側に位置してそれぞれ設ける構成とし、前記取付具は、室内機の前面部と載置台の前方側の立設部との間に介在させると共に、それの両端部を室内機と載置台の立設部とにそれぞれネジ止めして室内機と載置台とを固定することを特徴とする。
【０００７】
【０００８】
【０００９】
【発明の実施の形態】
以下、本発明の実施の形態について図を参照して説明する。図1は本発明の一実施形態を示す空気調和機を家屋に設置して、家屋内の各部屋を空調するシステムの概念図である。
【００１０】
１は居室等の家中と家屋外との断熱性や気密性を高くした高気密・高断熱の家屋であり、居室内の熱が屋外に逃げ難くなっている。家屋１には１階と２階にそれぞれ複数の居室や浴室、トイレ等が設けられ、各居室や廊下には室内空気が家屋１内を循環できるように通気口２が設けられている。そして１階の各居室の室内空気は主に１階の居室と廊下等の間で循環し、２階の各居室の室内空気は２階の居室と廊下等の間で循環できるようになっている。
【００１１】
家屋１の１階の階段下の空間には室内機２０ａが配置され、２階の天井裏には室内機２０ｂが配置されている。家屋外には２台の室外機１０ａ、１０ｂが配置され、室外機１０ａと室内機２０ａが冷媒配管によって接続され、室外機１０ｂと室内機２０ｂが冷媒配管によって接続されている。１階の浴室の天井裏には換気ユニット３０が配置され、室外機１０ａと冷媒配管によって接続されている。
【００１２】
室内機２０ａは下面側に吹出口を有しており、この吹出口は床下に配置される分岐チャンバ３ａと接続されている。１階の各居所の床には吹出チャンバ４ａが床下側から取付けられ、この吹出チャンバ４ａと分岐チャンバ３ａとはダクト５ａによって接続され、室内機２０ａで調温された空気を、ダクト５ａを介して吹出チャンバ４ａに送風し、吹出チャンバ４ａから各居室に供給している。階段下の空間を形成する壁には廊下と連通する通風口６が形成されて、各居室の室内空気が廊下を介して階段下に流れるようになっており、階段下に流れ込んだ室内空気が室内機２０ａの吸込口から吸込まれる。
【００１３】
室内機２０ｂの吹出口には、ダクト５ｂを介して分岐チャンバ３ｂが接続され、この分岐チャンバ３ｂには、各居室の天井に取付けられた吹出チャンバ４ｂがダクト５ｃによって接続されている。また室内機２０ｂの吸込口には、２階の廊下の天井に取付けられた吸込チャンバ７とダクト５ｄを介して接続される。そして室内機２０ｂから吹出される空気は吹出チャンバ４ｂから各居室に供給され、各居室の室内空気は廊下に流れて吸込チャンバ７を介して室内機２０ｂに吸込まれる。
【００１４】
換気ユニット３０は、それの吸込側が１階や２階のトイレや浴室の吸気口８とダクト５ｅによって接続され、吹出側が家屋１の外壁の排気口９とダクト５ｆを介して接続されている。換気ユニット３０内には、熱回収熱交換器３１や送風機が収納され、トイレや浴室等から吸込まれた空気は、熱回収熱交換器３１内の冷媒と熱交換を行った後に、排気口９から家屋１外に排気されている。
【００１５】
図２は、室外機１０ａと室内機２０ａと換気ユニット３０の冷凍サイクル図である。１１は、冷媒を圧縮する圧縮機であり、この圧縮機１１の吸込側にはアキュムレータ１５が接続され、吐出側には四方弁１２が接続されている。１３は室外側熱交換器であり、内部を通過する冷媒と外気との間で熱交換させる。１４は冷媒を減圧させるキャピラリチューブであり、冷房運転時又は暖房運転時に冷媒を通過させる。なお、キャピラリチューブ１４の代わりに電動膨張弁等を使用してもよい。１６はキャピラリチューブ１４と並列に接続される電磁弁であり、除湿運転時に冷媒を通過させる。
【００１６】
２１は室内側熱交換器であり、この室内側熱交換器２１は家屋１内の被調和空気と冷媒との間で熱交換を行わせ、そして、冷却又は加熱された空気は、各居室等に戻すものである。この室内側熱交換器２１は２分割され、その一方は室内空気が通過する際の風上側に、他方は風下側になるように並べて配置されている。この風上側の室内側熱交換器２１ａと風下側の室内側熱交換器２１ｂとの間には、電磁弁２２、キャピラリチューブ２３及び逆止弁２４がそれぞれ並列に接続されている。そして冷房運転時には、冷媒が電磁弁２２を通過し、除湿運転時には、冷媒がキャピラリチューブ２３を通過し、また、暖房運転時には、冷媒が逆止弁２４を通過する。
【００１７】
１７ａは、四方弁１２と冷媒配管で接続される太管側サービルバルブであり、室内機２０ａの太管側バルブ２５ａと冷媒配管４０ａを介して接続されている。１７ｂは、細管側サービスバルブであり、室内機１０ａの細管側バルブ２５ｂと冷媒配管４０ｂを介して接続されている。そして、室外機１０ａと室内機２０ａとを冷媒配管４０ａ、４０ｂによって接続することにより、圧縮機１１、室外側熱交換器１３、キャピラリチューブ１４及び室内側熱交換器２１が環状に接続されて冷凍サイクルが構成される。
【００１８】
１８ａは、太管側サービスバルブであり、この太管側サービスバルブ１８ａには、四方弁１２と室外側熱交換器１３との間の冷媒配管から分かれた冷媒配管１９ａがつながれている。１８ｂは、細管側サービスバルブであり、この細管側サービスバルブ１８ｂに接続する冷媒配管１９ｂは、キャピラリチューブ１４及び電磁弁１６と細管側サービスバルブ１７ｂとの間の冷媒配管につながっている。そして、太管側サービスバルブ１８ａは、換気ユニットの３０の太管側バルブ３４ａに冷媒配管４１ａを介して接続され、細管側サービスバルブ１８ｂは、換気ユニットの３０の細管側バルブ３４ｂに冷媒配管４１ｂを介して接続される。
【００１９】
３１は熱回収熱交換器であり、その一端が太管側バルブ３４ａと接続され、他端が細管側バルブ３４ｂに接続されている。つまり熱回収熱交換器３１は、冷凍回路において室外側熱交換器１３と並列に接続される。３２はキャピラリチューブ、３３はキャピラリチューブ３２と並列に接続された電磁弁であり、この電磁弁３３は細管側サービスバルブ１７ｂにつながる冷媒配管１９ｂに設けられている。
【００２０】
この図において、冷房運転時は、冷媒が実線で示すように流れる。つまり、四方弁１２によって圧縮機１１の吐出側と室外側熱交換器１３側とが連通される共に圧縮機１１の吸込側と室内側熱交換器２１側とが連通され、そして、電磁弁１６、３３を閉じると共に電磁弁２２を開く。
【００２１】
この冷房運転時において、圧縮機１１から吐出された冷媒は、四方弁１２を通過した後に２方向に分かれ、大部分の冷媒が室外側熱交換器１３に流れ、一部の冷媒が熱回収熱交換器３１に流れる。このとき、室外側熱交換器１３は凝縮器として作用し、室外側熱交換器１３で外気と熱交換された冷媒は、キャピラリチューブ１４で減圧され、冷媒配管４０ｂを通って室内側熱交換器２１に供給される。また、太管側サービスバルブ１８ａを介して換気ユニット３０に供給された冷媒は、熱回収熱交換器で３１室内空気と熱交換され、その後、室外機１０ａに戻りキャピラリチューブ３２を通過する。キャピラリチューブ３２で減圧された冷媒は、室外側熱交換器１３を通過した冷媒と合流し、室内側熱交換器２２に供給される。
【００２２】
換気ユニット３０は、家屋１内の空気を吸込むために、冷房運転時において、熱回収熱交換器３１を通過する空気の温度は、外気の温度よりも低くなっている。また、熱回収熱交換器３１は、室外側熱交換器１３と並列に接続されているため、熱回収熱交換器３１内を流れる冷媒の温度が、室外側熱交換器１３内を流れる冷媒の温度と同じくらい高温になる。したがって、熱回収熱交換器３１では、高温の冷媒と低温の室内空気が熱交換されるので、熱回収熱交換器３１での冷媒の凝縮が促進され、効率よく熱（冷熱）の回収が行われてＣＯＰが向上する。
【００２３】
室内側熱交換器２１ｂを通過した冷媒は、電磁弁２２を通って室内側熱交換器２１ａに流れる。このとき、室内側熱交換器２１は蒸発器として作用するので、室内機２０ａに吸込まれる室内空気は、冷媒と熱交換して冷やされ、この冷やされた室内空気が各居室へ供給される。室内側熱交換器２１を通過した冷媒は、冷媒配管４０ａを通って室外機１０ａに戻り、四方弁１２、アキュムレータ１５を通過して再び圧縮機１１に戻る。
【００２４】
暖房運転時は、冷媒は点線で示す通りに流れる。つまり四方弁１２によって圧縮機１１の吐出側と室内側熱交換器２１とが連通されると共に圧縮機１１の吸込側と室外側熱交換器１３とが連通され、そして、電磁弁１６、２２、３３が閉じられる。
【００２５】
圧縮機１１から吐出された冷媒は、四方弁１２、太管側サービスバルブ１７ａ、太管バルブ２５ａを通って室内側熱交換器２１に流れ込む。このとき、電磁弁２２が閉じているので、冷媒は逆止弁２４を流れ、室内側熱交換器２１の全てが凝縮器として作用する。そのため、室内側熱交換器２１に送風される室内空気は、冷媒によって暖められた後、各居室等に供給される。
【００２６】
室内側熱交換器２１を通過した冷媒は、細管側サービスバルブ１７ｂを通過した後に２方向に分けられ、その大部分がキャピラリチューブ１４を通過して室外側熱交換器１３にながれ、一部分がキャピラリチューブ３２を通過した後に細管側サービスバルブ１８ｂを通って熱回収熱交換器３１に流れる。このとき、室外側熱交換器１３は蒸発器として作用し、キャピラリチューブ１４で減圧された冷媒は、外気と熱交換してガス冷媒になる。
【００２７】
一方、熱回収熱交換器３１は蒸発器として作用し、熱回収熱交換器３１を通過する室内空気と冷媒とが熱交換する。この暖房運転時には、熱回収熱交換器３１を通過する室内空気の温度は、外気の温度よりも高くなっているので、室外側熱交換器１３と比較して熱回収熱交換器３１での冷媒の蒸発がより促進され、排熱の回収が効率よく行われる。また、室外側熱交換器１３と熱回収熱交換器３１とが並列に接続されているため、熱回収熱交換器３１における冷媒の圧力損失が少なくなり、室外側熱交換器１３と熱回収熱交換器３１とを直列に接続した場合と比較して、熱回収効率が向上する。
【００２８】
熱回収熱交換器３１を通過した冷媒は、太管側サービスバルブ３４ａを介して室外機１０ａに流れ、室外側熱交換器１３を通過した冷媒と合流して、圧縮機１１の吸込側に流れる。
【００２９】
除湿運転時は、冷媒は一点鎖線で示す通りに流れる。つまり、四方弁１１によって圧縮機１１の吐出側と室外側熱交換器１３側とが連通されると共に圧縮機１１の吸込側と室内側熱交換器２１側とが連通され、そして、電磁弁１６、３３が開かれると共に電磁弁２２が閉じられる。このとき、室外側熱交換器１３及び熱回収熱交換器３１が凝縮器として作用し、室内側熱交換器２１が蒸発器として作用する。
【００３０】
この除湿運転時には、圧縮機１１から吐出された冷媒は、四方弁１２を通過した後に２方向に分かれ、その大部分の冷媒が室外側熱交換器１３を通過した後、電磁弁１６を通過する。また、一部分の冷媒は、換気ユニット３０の熱回収熱交換器３１に流入し、室内空気と熱交換してから電磁弁３３を通過する。
【００３１】
室外側熱交換器１３又は熱回収熱交換器３１を通過した冷媒は、細管側サービスバルブ１７ｂを介して室内機２０ａに供給され、室内側熱交換器２１ｂ、キャピラリチューブ２３、室内側熱交換器２１ａの順に通過する。このとき、風下側になる室内側熱交換器２１ｂは凝縮器として作用し、風上側の室内側熱交換器２１ａは蒸発器として作用するので、室内空気は、室内側熱交換器２１ａを通過するときに冷やされながら除湿され、また、室内側熱交換器２１ｂを通過するときに暖められて各居室に送風される。したがって、室内側熱交換器２１を通過する室内空気は、除湿しながら温度を下げ過ぎないようにしている。
【００３２】
室内側熱交換器２１を通過した冷媒は太管側サービスバルブ２５ａを介して室外機１０ａに戻り、四方弁１２、アキュムレータ１５を通過して圧縮機１１に吸込まれる。
【００３３】
なお、室外機１０ｂ及び室内機２０ｂで構成される冷凍回路は、図２に示す冷凍サイクルから、熱回収熱交換器３１、キャピラリチューブ３３及び電磁弁３２等を除いたものであり、他の構成は図２に示す冷凍回路と同じである。
【００３４】
図３は室外機１０ａの側面に設けられたサービスバルブ１８、４０の拡大図であり、図３（ａ）は冷媒配管４０、４１が接続された際の状態を示し、図３（ｂ）は冷媒配管４０、４１が接続される前の状態を示している。サービスバルブ１８、４０は、下から太管側サービスバルブ１７ａ、細管側サービスバルブ１７ｂ、細管側サービスバルブ１８ｂ、太管側サービスバルブ１８ａの順に配置され、下側のサービスバルブ１７ａ、１７ｂが室内機２０ａに接続され、上側のサービスバルブ１８ａ、１８ｂが換気ユニット３０へ接続されている。そして、２つの細管サービスバルブ１７ｂ、１８ｂは、カバー４２によって覆われており、冷媒配管４０、４１が接続される前においては、太管側サービスバルブ１７ａ、１８ａには、大径のナット４３ａが取付けられ、一方、細管側サービスバルブ１７ｂ、１８ｂには、小径のナット４３ｂが取付けられている。本実施形態では、太管側サービスバルブ１７ａ、１８ａを外側に配置し、細管サービスバルブ１７ｂ、１８ｂを内側に配置したので、各サービスバルブ１７、１８の間隔が狭くても、ナット４３を外すためにスパナを入れることができる。
【００３５】
図４は本発明に係る空気調和機の固定装置を説明する説明図である。室内機２０ｂは上部ユニット５０と下部ユニット５１に分離でき、上部ユニット５０内には室内側熱交換器２１、電磁弁２２、キャピラリチューブ２３等が収納され、一方、下部ユニット５１内には送風機（図示しない）が収納されている。
【００３６】
上部ユニット５０の前面には吸込口５２が形成され、この吸込口５２には天井に設けられた吸込チャンバ７と連通するダクト５ｄが取付けられる。吸込口５２の側方には電装箱５３が配置され、その内部には送風機や電磁弁２２等を制御する制御部等の電装部品が収納されている。
【００３７】
下部ユニット５１の前面には吹出口５４が形成され、この吹出口５４には天井裏に配置された分岐チャンバ３ｂと接続されるダクト５ｂが取付けられる。この下部ユニット５１は、前面と底面が同じ大きさに形成されており、吹出口５４が設けられたパネル５５が、前面と底面の両方に取付け可能になっている。したがって、この室内機２０を天井裏に設定するときには、吹出口５４を有するパネル５５を前面に取付け、この室内機２０を１階の階段下に配置するときには、吹出口５４を有するパネル５５を底面に取付けることで、同じ構成の室内機２０で吹出口５４の向きを変えることができる。
【００３８】
また、上部ユニット５０の下面と下部ユニット５１の上面が同じ大きさに形成され、そして、下部ユニット５１の上に上部ユニット５０を重ねた状態として、それらを固定具５６によって一体にしている。この上部ユニット５０と下部ユニット５１の互いに向かい合う面は、空気が通風できるように形成され、上部ユニット５０の吸込口５２から吸込んだ空気を、下部ユニット５１の吹出口５４から吹出せるようになっている。このように、上部ユニット５０と下部ユニット５１とは、別々に構成されているので、下部ユニット５１の向きを変えることで、室内機２０ｂの吸込口５２と吹出口５４とを同一の方向に配置したり、互いに反対方向になるように配置したりすることが可能となる。
【００３９】
５７は室内機２０ｂが配置される載置台であり、図４に示すように、この載置台５７の周縁全周に亘って上方に突出した立設部５７ａを設けている。この立設部５７ａよりも内側の載置台５７の後方にはストッパー５８が設けられ、そして、載置台５７上に置いた室内機２０ｂの背面側が、このストッパー５８に当接するようになっている。また、載置台５７の前方の立設部６５には取付具５９の一端部がネジ止めされており、室内機２０ｂの前面部をこの取付具５９の他端部にネジ止めすることで室内機２０ｂが載置台５７に固定される。このように、取付け具５９を、室内機２０ｂの前面部と載置台５７の前方の立設部６５との間に介在させて、室内機と載置台５７とを固定する。更にまた、載置台５７の４隅には固定孔５７ｂが設けられており、この４隅に設けられた固定孔５７ｂに釘やネジなど（固定具）を挿入して、梁等に固定された平板６０に載置台５７を固定する。そして、載置台５７の４隅に設けられた固定孔５７ｂは、前記立設部５７ａよりも外側に位置して設けられている（図４を参照）。
【００４０】
このように、室内機２０ｂは、載置台５７上に置いた後に取付具５９を用いてネジ止めするだけで固定できるので、室内機２０ｂの設置作業が前面側から行うことができ、天井裏等の作業がやり難い場所でも容易に設置作業ができる。また、載置台５７に立設部５７ａを設け、この立設部５７の外側に位置させて固定孔５７ｂを設けたので、室内機２０ｂからドレン水等が滴下した場合でも、このドレン水を載置台５７上に溜めることができるので、天井にドレン水等が落ちることを防止できる。
【００４１】
図５は本発明における他の実施の形態としての空気調和機の固定装置を説明するための説明図である。室内機２０ａの設置状態を示す斜視図である。この室内機２０ａ本体の基本的な構成は図４に示す室内機２０ｂと同じである。この室内機２０ａの上部ユニット６２は吸込口にフィルタ６３が取付けられ、下部ユニット６４は吹出口を下面側に設けている。
【００４２】
６５は室内機２０ａが配置される載置台であり、載置台５６の中央部分に開口部６６を設けたもの形状と同じである。したがって載置台６５はその周縁に亘って上方に突出した立設部６５ａが形成されている。また、載置台６５の４隅には、床６８に載置台６５を固定するための固定孔６５ｂが形成されている。
【００４３】
６７は載置台６５の開口部６６に挿入される連結部であり、上面側が室内機２０ａの底面に当接できるように平坦に形成され、下方側が床６８に設けた開口６９の下に配置される分岐チャンバ３ａの通気口７０の内側に嵌まり込むように筒状の突出部を有している。そして上面側を室内機２０ａの底面に当接し、下方側を分岐チャンバ３ａに嵌め込むことで、室内機２０ａと分岐チャンバ３ａとを空気が通気できるように連結している。
【００４４】
７１は補助板であり、この補助板７１は、室内機２０ａを、連結部６６を介して載置台６５に置いたときにできる隙間分の厚みを有しており、この補助板７１を室内機２０ａと載置台６５との間に介在させることで室内機２０ａを安定して載置できる。
【００４５】
室内機２０ａを配置する際は、まず載置台６５を床６８に固定する。このとき載置台６５に取付けられた連結部６６が分岐チャンバ３ａの通気口７０に嵌まるようする。そして室内機２０ａの背面側が載置台６５に取付けられたストッパー７２に当接するように載置台６５上に置く。このとき室内機２０ａの底面の吹出口は載置台６５の開口部６６に位置する。そして載置台６５に取付けられた取付具７３と室内機２０ａをネジ止めして、室内機２０ａを固定する。
【００４６】
そして、載置台６５は周縁が突出した立設部６５ａを設けているので、例え室内機２０ａからドレン水が載置台６５上に滴下しても、ドレン水を載置台６５で受け止めることができる。また載置台６５の開口部６６は連結部６７によって覆われているので、ドレン水等は載置台６５上に保持され、その後に蒸発する。
【００４７】
このように載置台６５を室内機２０ａの下に介在させることで、室内機を様々な場所に設置することができる。
【００４８】
【発明の効果】
以上説明したように、本発明によれば、屋内の所定の場所に固定されると共に前記室内機が載置される矩形状の載置台と、この載置台と前記室内機とを固定するための取付具とを備え、前記載置台は、それの周縁全周に亘って上方へ突出して設けられた立設部と、この立設部よりも内側の後方部に設けられ、前記室内機の背面部を当接させるストッパーと、４隅部にそれぞれ設けられ、ネジを含む固定具を挿入するための固定孔とを備え、前記４隅部の固定孔は、前記立設部の外側に位置してそれぞれ設ける構成とし、前記取付具は、室内機の前面部と載置台の前方側の立設部との間に介在させると共に、それの両端部を室内機と載置台の立設部とにそれぞれネジ止めして室内機と載置台とを固定する構成であるから、室内機からドレン水等が漏れ出してもこのドレン水を載置台上に溜めて家屋に漏れることがないようにできるため、室内機を容易に目視できない場所に配置した場合でも、ドレン水等が漏れて家屋を損傷させることを防止できるのはもちろんのこと、室内機は、載置台上に置いた後に取付具を用いてネジ止めするだけで固定できるので、室内機の設置作業を前面側から行うことができ、天井裏等の作業がやり難い場所でも容易に設置作業が行える。
【００４９】
【図面の簡単な説明】
【図１】  本発明の一実施形態を示す空気調和機を家屋に設置して、家屋内の各部屋を空調するシステムの概念図である。
【図２】  同じく空気調和機の冷凍回路図である。
【図３】  同じく室外機に配置されたサービスバルブの拡大図である。
【図４】  本発明に係る空気調和機の固定装置を説明する説明図である。
【図５】  本発明における他の実施の形態としての空気調和機の固定装置を説明するための説明図である。
【符号の説明】
３      分岐チャンバ
４      吹出チャンバ
５      ダクト
７      吸込チャンバ
１０      室外機
１３      室外熱交換器
２０      室内機
２１      室内熱交換器
３０      換気ユニット
３１      熱回収熱交換器
５７      載置台
５７ａ    立設部
５７ｂ    固定孔
５８      ストッパー
５９      取付具
６５      載置台
６５ａ    立設部
７２      ストッパー
７３      取付具
【図１】
0003679608.tif 000002
【図２】
0003679608.tif 000003
【図３】
0003679608.tif 000004
【図４】
0003679608.tif 000005
【図５】
0003679608.tif 000006